(57)【要約】【課題】簡単に索状体の弛緩を無くして、索状体に取り付けた養生覆いシートにより、乗客コンベア側方を周囲から見栄えよく、間仕切りすることができる簡便な乗客コンベア用養生装置の提供。【解決手段】上記課題は、乗客コンベア１の上部乗降口１Ａに設置される上支柱構造体２と、乗客コンベア１の下部乗降口１Ｂに設置される下支柱構造体３と、これら上支柱構造体２と下支柱構造体３との間に張設した索状体４と、この索状体４により支持されて乗客コンベア１の側方を周囲から間仕切るための養生覆いシート５と、索状体４に張力を加える張力付加手段６とからなる乗客コンベア用養生装置によって、解決できる。【選択図】図１
2005335850.tif 000002
【特許請求の範囲】
【請求項１】
乗客コンベアの上部乗降口に設置される上支柱構造体と、前記乗客コンベアの下部乗降口に設置される下支柱構造体と、これら上支柱構造体と下支柱構造体との間に張設した索状体と、この索状体により支持されて前記乗客コンベアの側方を周囲から間仕切るための養生覆いシートと、前記索状体に張力を加える張力付加手段とを、少なくとも備えていることを特徴とする乗客コンベア用養生装置。
【請求項２】
前記張力付加手段を、前記上支柱構造体若しくは下支柱構造体に設けたことを特徴とする請求項１記載の乗客コンベア用養生装置。
【請求項３】
前記索状体を、前記乗客コンベアの設置場所の建屋梁に取り付けた複数個の吊持部材によって、前記乗客コンベアのハンドレールの上方にそのハンドレール上面から所定距離を隔てた位置に、吊持したことを特徴とする請求項１若しくは２記載の乗客コンベア用養生装置。
【請求項４】
前記複数個の吊持部材のうちの一本は、前記乗客コンベアのハンドレールにおける上部側折れ点部位の上方に位置するように構成としたことを特徴とする請求項３記載の乗客コンベア用養生装置。
【請求項５】
前記索状体を、前記乗客コンベアの外デッキに取り付けた複数個の支持部材によって、前記乗客コンベアのハンドレールの上方にそのハンドレール上面から所定距離を隔てた位置に、支持したことを特徴とする請求項１若しくは２記載の乗客コンベア用養生装置。
【請求項６】
前記外デッキには、前記支持部材を取り付ける取り付け穴を設けると共に、この取り付け穴を利用して、前記支持部材を前記外デッキから撤去した後に、落下物抑制部材が取り付けられるようにしたことを特徴とする請求項５記載の乗客コンベア用養生装置。
【発明の詳細な説明】
【技術分野】
【０００１】
本発明は、乗客コンベア用養生装置に関するものである。
【背景技術】
【０００２】
従来、エスカレーターなどの乗客コンベアの改修工事を行う場合、その改修工事の工期短縮化を目的として、乗客コンベアの側面の長手方向に沿って複数個の支持柱を、かつ、乗客コンベアの上部乗降口及び下部乗降口に養生扉を、それぞれ設けると共に、養生扉及び各支持柱に固定されるワイヤーからなる索状体を設けて、この索状体に乗客コンベアの側面を少なくとも覆う防災シートなどからなる中間囲い体を固定するようにした簡易構造の養生装置が採用されていた（特許文献１を参照）。
【特許文献１】特開２００２−６０１７０号公報（段落番号００１６〜段落番号００１９及び段落番号４３、図１）
【発明の開示】
【発明が解決しようとする課題】
【０００３】
しかしながら、上述従来の養生装置では、索状体の伸びなどが起因して、索状体が弛緩することがあり、索状体が弛緩してくると、その索状体の弛緩状態に沿って中間囲い体が垂れ下がってしまうために、乗客コンベア側方を周囲から中間囲い体よって十分に間仕切りされず、見栄えが悪くなってしまうという問題が発生していた。
【０００４】
本発明は、上述した問題点に鑑みてなされたもので、その目的は、索状体の弛緩をなくして、乗客コンベア側方を周囲から間仕切りする機能を十分に果たしえる簡便な乗客コンベア用養生装置を提供するにある。
【課題を解決するための手段】
【０００５】
上記目的を達成するために、請求項１に係わる本発明は、乗客コンベアの上部乗降口に設置される上支柱構造体と、前記乗客コンベアの下部乗降口に設置される下支柱構造体と、これら上支柱構造体と下支柱構造体との間に張設した索状体と、この索状体により支持されて前記乗客コンベアの側方を周囲から間仕切るための養生覆いシートと、前記索状体に張力を加える張力付加手段とから少なくとも構成したことを特徴としている。
【０００６】
さらに、請求項２に係わる本発明は、張力付加手段を、上支柱構造体若しくは下支柱構造体に設けたことを特徴としている。
【０００７】
さらに、請求項３に係わる本発明は、索状体を、建屋梁に取り付けた複数個の吊持部材によって、前記乗客コンベアのハンドレールの上方にそのハンドレール上面から所定距離を隔てた位置に、吊持したことを特徴としている。
【０００８】
さらに、請求項４に係わる本発明は、複数個の吊持部材のうちの一本は、乗客コンベアのハンドレールにおける上部側折れ点部位の上方に位置するように構成としたことを特徴としている。
【０００９】
さらに、請求項５に係わる本発明は、索状体を、乗客コンベアの外デッキに取り付けた複数個の支持部材によって、前記乗客コンベアのハンドレールの上方にそのハンドレール上面から所定距離を隔てた位置に、支持したことを特徴としている。
【００１０】
さらに、請求項６に係わる本発明は、乗客コンベアの外デッキには、支持部材を取り付ける取り付け穴を設けると共に、この取り付け穴を利用して、前記支持部材を前記外デッキから撤去した後に、落下物抑制部材が取り付けられるようにしたことを特徴としている。
【発明の効果】
【００１１】
請求項１に係わる本発明によれば、張力付加手段を操作することで、索状体に張力を加えることにより、簡単に索状体の弛緩を無くすことができ、索状体に取り付けた養生覆いシートによって、見栄えよく、乗客コンベア側方を周囲から間仕切りすることができる簡便な乗客コンベア用養生装置を提供できる。
【００１２】
請求項２に係わる本発明によれば、張力付加手段を上支柱構造体若しくは下支柱構造体に取り付けたので、張力付加手段を設置するための専用設置部材を設ける必要のない簡便な乗客コンベア用養生装置を提供できる。
【００１３】
請求項３に係わる本発明によれば、索状体を、吊持部材によって吊持して乗客コンベアのハンドレール上方に位置させたので、索状体の弛緩を防止して、養生覆いシートにより、見栄えよく、乗客コンベア側方を周囲から間仕切りできる簡便な乗客コンベア用養生装置を提供できる。
【００１４】
請求項４に係わる本発明によれば、索状体の、乗客コンベアにおけるハンドレールの上部側折れ点部位の上方に位置する部分を吊持しているので、乗客コンベアにおけるハンドレールの上部側折れ点部位を含めて、養生覆いシートにより、見栄えよく、乗客コンベア側方を周囲から間仕切りできる簡便な乗客コンベア用養生装置を提供できる。
【００１５】
請求項５に係わる本発明によれば、索状体を、乗客コンベアの外デッキに取り付けた支持部材によって支持して乗客コンベアのハンドレール上方に位置させたので、建屋梁のない場所に設置されている乗客コンベアであっても、索状体の弛緩を防止して、養生覆いシートにより、見栄えよく、乗客コンベア側方を周囲から間仕切りできる簡便な乗客コンベア用養生装置を提供できる。
【００１６】
請求項６に係わる本発明によれば、乗客コンベアの外デッキに、支持部材を取り付ける取り付け穴を設けても、その取り付け穴を利用して、前記支持部材を前記外デッキから撤去した後に、落下物抑制部材を取り付けることで、その取り付け穴が隠れるので、乗客コンベアの意匠性を損なわせることのない乗客コンベア用養生装置を提供できる
【発明を実施するための最良の形態】
【００１７】
以下、本発明に係る乗客コンベア用養生装置の実施形態を図面に基づいて説明する。図１は、本発明の一実施形態に係わる乗客コンベア用養生装置を乗客コンベアに設置した状態を示す全体側面図である。図２は、本発明の一実施形態に係わる乗客コンベア用養生装置の要部拡大斜視図である。図３は、本発明の一実施形態に係わる乗客コンベア用養生装置を乗客コンベアに設置する途中の状態を示す全体側面図である。図４は、本発明の他実施形態その１に係わる乗客コンベア用養生装置を乗客コンベアに設置した状態を示す全体側面図である。図５は、本発明の他実施形態その１に係わる乗客コンベア用養生装置の支持部材を乗客コンベアの外デッキに設置した状態を示す要部斜視面図である。図６は、本発明の他実施形態その１に係わる乗客コンベア用養生装置の支持部材に換えて落下物抑制部材を外デッキに設置した状態を示す要部斜視面図である。図７は、本発明の他実施形態その２に係わる乗客コンベア用養生装置を乗客コンベアに設置した状態を示す全体側面図である。
【００１８】
図１に示す一実施形態に係わる乗客コンベア用養生装置は、エレベーターなどの乗客コンベア１の上部乗降口１Ａに設置される上支柱構造体２と、乗客コンベア１の下部乗降口１Ｂに設置される下支柱構造体３と、これら上支柱構造体２と下支柱構造体３との間に張設したワイヤーなどからなる索状体４と、この索状体４により支持されて乗客コンベア１の側方を周囲から間仕切る防炎性の養生覆いシート５と、索状体４を巻き取って索状体４に張力を加える張力付加手段６とを備えている。
【００１９】
張力付加手段６は、電動式のチェーンブロックからなり、図２に示すように、ブロック本体６Ａと、このブロック本体６Ａに取り付けた本体フック６Ｂと、ブロック本体６Ａ内に巻き取られるチェーン６Ｃと、このチェーン６Ｃの先端に取り付けたチェーン用フック６Ｄとを備えており、上支柱構造体２にのみ設けられている。
【００２０】
乗客コンベア１の上部乗降口１Ａに設置される上支柱構造体２は、図２に示すように、鋼材からなるベース台座７と、このベース台座７に垂直に取り付けられた鋼材からなる角状の中央柱８と、この中央柱８の左右方向の倒れを防止するために中央柱８及びベース台座７に取り付けられた鋼材からなる角状の側面柱９と、中央柱８の前後方向の倒れを防止するための鋼材からなる角状の補強脚１０とからなっている。下支柱構造体３は、上支柱構造体２と同一構造にし、ベース台座７、中央柱８、側面柱９及び補強脚１０を有している。上支柱構造体２のベース台座７は、乗客コンベア１の上部乗降口１Ａに床面にボルトなどにより堅牢に固定される。下支柱構造体３のベース台座７は、乗客コンベア１の下部乗降口１Ｂに床面にボルトなどにより堅牢に固定される。
【００２１】
索状体４の一端側には、取り付けリング４Ａが設けられている。上支柱構造体２のベース台座７には、チェーン用フック６Ｄを引っ掛けるための引っ掛け穴７Ａが設けられている。上支柱構造体２の中央柱８の上端側には、貫通穴８Ａが設けられている。張力付加手段６の本体フック６Ｂは、上支柱構造体２の中央柱８の上端側に設けた貫通穴８Ａを通してなる索状体４の取り付けリング４Ａに引っ掛ける。張力付加手段６のチェーン用フック６Ｄは、上支柱構造体２のベース台座７に設けた引っ掛け穴７Ａに引っ掛ける。張力付加手段６は、チェーン６Ｃをブロック本体６Ａ内に巻き取ってブロック本体６Ａを下降させることで、本体フック６Ｂにより索状体４を引っ張ってその索状体４に張力が加えられるようにしてある。索状体４の他端側は、下支柱構造体３の中央柱８に、直接、着脱可能に取り付けるようにしてある。
【００２２】
索状体４における上支柱構造体２と下支柱構造体３との間に位置する部分は、図１に示すように、乗客コンベア１が設置される建屋の天井などに設けた建屋梁１１に取り付けた複数個の吊持部材１２によって、乗客コンベア１のハンドレール１Ｃの上方にそのハンドレール１Ｃ上面から所定距離を隔てて吊持される。複数個の吊持部材１２は、複数本のワイヤーからなり、一端を建屋梁１１に着脱可能に取り付けると共に、他端を索状体４に着脱可能に取り付ける。複数個の吊持部材１２のうちの一本は、乗客コンベア１におけるハンドレール１Ｃの上部側折れ点部位１Ｄの上方に、必ず位置するようにしてある。
【００２３】
養生覆いシート５は、複数個の吊持部材１２によって吊持された索状体４に装着した状態では、その養生覆いシート５の下端５Ａが乗客コンベア１の外デッキ１３にガムテープなどからなる養生覆いシート用固定部材１４により固定されるようにしてある。
【００２４】
次に、上記一実施形態の乗客コンベア用養生装置を用いた養生手順を、詳説する。
【００２５】
すなわち、始めに、上支柱構造体２を乗客コンベア１の上部乗降口１Ａに、かつ、下支柱構造体３を乗客コンベア１の下部乗降口１Ｂに、それぞれ、転倒しないように設置する。
【００２６】
次いで、索状体４の一端側を、上支柱構造体２における中央柱８の貫通穴８Ａを通した後、張力付加手段６の本体フック６Ｂに取り付けた、その後、張力付加手段６のチェーン用フック６Ｄを、上支柱構造体２におけるベース台座７の引っ掛け穴７Ａに引っ掛けると共に、索状体４の他端側を、下支柱構造体３における中央柱８の貫通穴８Ａに直接取り付けることにより、索状体４を上支柱構造体２及び下支柱構造体３に張設する（図２参照）。
【００２７】
次いで、索状体４を複数個の吊持部材１２によって吊持した後、索状体４に養生覆いシート５を取り付けると共に、張力付加手段６を作動させて、張力付加手段６のチェーン６Ｃをブロック本体６Ａ内に巻き取ることで、本体フック６Ｂにより索状体４を引っ張ってその索状体４に適切な張力が加えられた状態とする。
【００２８】
次いで、養生覆いシート５の下端５Ａを乗客コンベア１の外デッキ１３に養生覆いシート用固定部材１４により固定する（図１参照）。これにより、乗客コンベア１の側方を周囲から間仕切るための養生作業が終了する。
【００２９】
上記養生手順では、索状体４を複数個の吊持部材１２によって吊持した後、索状体４に養生覆いシート５を取り付けるようにしているが、索状体４に養生覆いシート５を取り付けた後、その索状体４を複数個の吊持部材１２によって吊持するようにしてもよい。
【００３０】
上記一実施形態の乗客コンベア用養生装置によれば、張力付加手段６を操作して索状体４に張力を加えることができるので、常に、索状体４に適切な張力が加えられた状態とすることが簡単にできる。
【００３１】
さらに、上記一実施形態の乗客コンベア用養生装置によれば、改修作業中に、索状体４が伸びるなどして養生覆いシート５が垂れ下がってきた場合には、乗客コンベア１の上部乗降口１Ａにて、張力付加手段６を操作することで、索状体４の弛緩を直して、養生覆いシート５の垂れ下がりを、簡単に、かつ、安全に直すことができる。
【００３２】
次に、本発明の他実施形態その１を、図４〜図６に基づいて説明する。図４〜図６において、図１〜図３と同一符号は同一内容を表している。図４〜図６に示す他実施形態その１に係わる乗客コンベア用養生装置と図１〜図３に示す一実施形態の乗客コンベア用養生装置とは、前者が乗客コンベア１の外デッキ１３に取り付けた複数個の支持部材１５により、索状体４を乗客コンベア１のハンドレール１Ｃ上方に位置するように支持するのに対して、後者が建屋梁に取り付けた複数個の吊持部材１２により、乗客コンベア１のハンドレール１Ｃ上方に位置するように吊持する点で、両者は相違している。
【００３３】
支持部材１５は、図５に示すように、乗客コンベア１の外デッキ１３に設けた取り付け穴を利用して、支持部材１５のベース部１５Ａをリベットなどからなる支持部材用第１固定部材１６により着脱可能に、あるいは支持部材１５のベース部１５Ａのベース部１５Ａをガムテープなどからなる支持部材用第２固定部材１７により着脱可能に、固定される。
【００３４】
乗客コンベア１の外デッキ１３に設けた取り付け穴は、図６示すように、支持部材１５を外デッキ１３から撤去した後に、落下物抑制部材１８を取り付けることができるように設定されている。落下物抑制部材１８は、Ｌ字状の鋼材からなっている。
【００３５】
上記他実施形態その１に係わる乗客コンベア用養生装置によれば、乗客コンベア１を設置する場所の天井に建屋梁１１が無くても、索状体４を乗客コンベア１のハンドレール１Ｃ上方に位置するように、支持することができる。また、養生のために、外デッキ１３に取り付け穴が設けられても、その取り付け穴が落下物抑制部材１８の取り付けに利用されて覆われることで、乗客コンベアの外観意匠が損なわれることがない。
【００３６】
次に、本発明の他実施形態その２を、図７に基づいて説明する。図７において、図１〜図３と同一符号は同一内容を表している。図７に示す他実施形態その２に係わる乗客コンベア用養生装置と図１〜図３に示す一実施形態の乗客コンベア用養生装置とは、前者が乗客コンベア１の上部乗降口１Ａ及び乗客コンベア１の下部乗降口１Ｂにガードフェンス１９を設置しているのに対して、後者が乗客コンベア１の上部乗降口１Ａ及び乗客コンベア１の下部乗降口１Ｂにガードフェンス１９を設置していない点でのみ、両者は相違している。ガードフェンス１９は、方形状の枠体とその枠体内の通り抜けを阻止する保護網とからなるもの、あるいは方形状の合成樹脂板からなるものなどの、簡易な安全柵構造としてある。
【００３７】
上記他実施形態その２に係わる乗客コンベア用養生装置によれば、簡易な構造のガードフェンス１９により、乗客コンベア１の上部乗降口１Ａ及び下部乗降口１Ｂ内に改修作業者以外の第三者の侵入を阻止することができる。
【００３８】
上記いずれの実施形態においても、乗客コンベア用養生装置は、張力付加手段６を、上支柱構造体２に設置しているが、これに限定されない。張力付加手段６を、下支柱構造体３に設けるようにしてもよいし、上支柱構造体２及び下支柱構造体３の両方に設けるようにすることも可能である。
【００３９】
上記いずれの実施形態においても、乗客コンベア用養生装置は、張力付加手段６を電動式のチェーンブロックとしているが、これに限定されない。張力付加手段６を、索状体４を巻き取る手動式の巻取機とするようにしてもよい。また、上記いずれの実施形態においても、養生覆いシート５により、乗客コンベア１の一側方のみを周囲から間仕切りしているが、これに限定されない。養生覆いシート５を二つ折りにして索状体４に被せて、乗客コンベア１の両側方を周囲から間仕切りするようにしてもよい。
【図面の簡単な説明】
【００４０】
【図１】本発明の一実施形態に係わる乗客コンベア用養生装置を乗客コンベアに設置した状態を示す全体側面図である。
【図２】本発明の一実施形態に係わる乗客コンベア用養生装置の要部拡大斜視図である。
【図３】本発明の一実施形態に係わる乗客コンベア用養生装置を乗客コンベアに設置する途中の状態を示す全体側面図である。
【図４】本発明の他実施形態その１に係わる乗客コンベア用養生装置を乗客コンベアに設置した状態を示す全体側面図である。
【図５】本発明の他実施形態その１に係わる乗客コンベア用養生装置の支持部材を乗客コンベアの外デッキに設置した状態を示す要部斜視面図である。
【図６】本発明の他実施形態その１に係わる乗客コンベア用養生装置の支持部材に換えて落下物抑制部材を外デッキに設置した状態を示す要部斜視面図である。
【図７】本発明の他実施形態その２に係わる乗客コンベア用養生装置を乗客コンベアに設置した状態を示す全体側面図である。
【符号の説明】
【００４１】
１    乗客コンベア
１Ａ  上部乗降口
１Ｂ  下部乗降口
１Ｃ  ハンドレール
１Ｄ  上部側折れ点部位
２    上支柱構造体
３    下支柱構造体
４    索状体
５    養生覆いシート
５Ａ  下端
６    張力付加手段
６Ａ  ブロック本体
６Ｂ  本体フック
６Ｃ  チェーン
６Ｄ  チェーン用フック
７    ベース台座
７Ａ  引っ掛け穴
８    中央柱
８Ａ  貫通穴
９    側面柱
１０  補強脚
１１  建屋梁
１２  吊持部材
１３  外デッキ
１４  養生覆いシート用固定部材
１５  支持部材
１５Ａ  ベース部
１６  支持部材用第１固定部材
１７  支持部材用第２固定部材
１８  落下物抑制部材
１９  ガードフェンス
【図１】
2005335850.tif 000003
【図２】
2005335850.tif 000004
【図３】
2005335850.tif 000005
【図４】
2005335850.tif 000006
【図５】
2005335850.tif 000007
【図６】
2005335850.tif 000008
【図７】
2005335850.tif 000009